(57)【要約】【課題】大掛かりな装置を必要とすることなく、複数の光源の角度変更を行う。【解決手段】ベース５は、複数の灯具ユニット７が設置角度を調整自在に立設された端面３１を有する。調整リング６は、ベース５の外周部分に取付位置が調整自在に取り付けられる。板バネ１１は、それぞれの灯具ユニット７をベース５の端面３１の外側方向に傾斜させる力をそれぞれの灯具ユニット７に与える。調整リング６は、突起１６が設けられた内周面３２を有しており、この突起１６は、それぞれの灯具ユニット７に当接して板バネ１１により与えられる力と逆方向の力をそれぞれの灯具ユニット７に与える。調整リング６は、その取付位置が調整されることにより突起１６がそれぞれの灯具ユニット７に当接する位置が変化してそれぞれの灯具ユニット７の設置角度を調整する。【選択図】図４
2012221771.tif 000002
【特許請求の範囲】
【請求項１】
光源が搭載された複数の灯具ユニットと、
前記複数の灯具ユニットが設置角度を調整自在に立設された端面を有する本体と、
前記複数の灯具ユニットを前記本体の端面の外側方向に傾斜させる力を前記複数の灯具ユニットに与えるバネ部材と、
前記複数の灯具ユニットに当接して前記バネ部材により与えられる力と逆方向の力を前記複数の灯具ユニットに与える当接部が設けられた内周面を有し、前記本体の外周部分に取付位置が調整自在に取り付けられる筒状の枠部材であり、前記枠部材の取付位置が調整されることにより前記当接部が前記複数の灯具ユニットに当接する位置が変化して前記複数の灯具ユニットの設置角度を調整する枠部材と
を備えることを特徴とする照明器具。
【請求項２】
前記複数の灯具ユニットは、前記本体の端面に対して所定の角度で傾斜する側面を有し、
前記当接部は、前記複数の灯具ユニットの側面に当接する断面略半円状の突起であることを特徴とする請求項１の照明器具。
【請求項３】
前記バネ部材は、前記複数の灯具ユニットを前記本体の端面の内側から外側に向かって押圧する板バネであることを特徴とする請求項１又は２の照明器具。
【請求項４】
前記本体の端面には、前記本体の端面に対して平行に延びる軸を支持する複数の軸受け部が設けられ、
前記複数の灯具ユニットは、それぞれ前記複数の軸受け部により支持された軸を中心に回転することにより設置角度が調整されることを特徴とする請求項１から３のいずれかの照明器具。
【請求項５】
前記複数の灯具ユニットは、前記本体の端面に円環状に立設され、
前記照明器具は、さらに、
光源が搭載され、前記本体の端面の中心部分に立設される他の灯具ユニットと、
中心部分に凸レンズが形成され、前記枠部材の先端部に取り付けられる透光性カバーと
を備えることを特徴とする請求項１から４のいずれかの照明器具。
【請求項６】
前記本体は、少なくとも前記枠部材が取り付けられる部分が円柱状であり、
前記枠部材は、前記本体の周囲で回転することにより取付位置が調整されることを特徴とする請求項１から５のいずれかの照明器具。
【請求項７】
前記本体と前記枠部材とには、前記枠部材の取付位置と前記複数の灯具ユニットの配光との関係を示す目盛りが設けられていることを特徴とする請求項６の照明器具。
【発明の詳細な説明】
【技術分野】
【０００１】
本発明は、照明器具に関するものである。
【背景技術】
【０００２】
スポットライトや投光機等の集光照明器具の場合、器具設置後に展示物への光の照射状況を確認してビーム角等の配光特性を変化させることが望まれている。
【０００３】
従来、複数の光源を有し、配光特性を変化させる照明装置が提案されている（例えば、特許文献１参照）。
【先行技術文献】
【特許文献】
【０００４】
【特許文献１】特開２０１０−１２３５３９号公報
【発明の概要】
【発明が解決しようとする課題】
【０００５】
特許文献１に記載の照明装置では、発光部ユニットの角度変更をモーターやプーリー等を用いて行う必要があり、大掛かりな装置が配光制御に必要であった。そのため、小型の器具への対応に課題があった。
【０００６】
本発明は、例えば、大掛かりな装置を必要とすることなく、複数の光源の角度変更を行うことを目的とする。
【課題を解決するための手段】
【０００７】
本発明の一の態様に係る照明器具は、
光源が搭載された複数の灯具ユニットと、
前記複数の灯具ユニットが設置角度を調整自在に立設された端面を有する本体と、
前記複数の灯具ユニットを前記本体の端面の外側方向に傾斜させる力を前記複数の灯具ユニットに与えるバネ部材と、
前記複数の灯具ユニットに当接して前記バネ部材により与えられる力と逆方向の力を前記複数の灯具ユニットに与える当接部が設けられた内周面を有し、前記本体の外周部分に取付位置が調整自在に取り付けられる筒状の枠部材であり、前記枠部材の取付位置が調整されることにより前記当接部が前記複数の灯具ユニットに当接する位置が変化して前記複数の灯具ユニットの設置角度を調整する枠部材とを備える。
【発明の効果】
【０００８】
本発明の一の態様によれば、大掛かりな装置を必要とすることなく、複数の光源の角度変更を行うことが可能となる。したがって、ライティングダクトレール等に取り付けられて使用される小型のスポットライト等の照明器具においても、低コストで、配光特性を容易に変化させることが可能となる。
【図面の簡単な説明】
【０００９】
【図１】実施の形態１に係る照明器具の使用状態を示す斜視図。
【図２】実施の形態１に係る照明器具の灯体部の分解斜視図。
【図３】実施の形態１に係る照明器具の灯体部の部分断面斜視図。
【図４】実施の形態１に係る照明器具の灯体部の断面図。
【図５】実施の形態１に係る照明器具に使用される板バネの平面図及び側面図。
【図６】実施の形態１に係る照明器具の灯体部の広角状態の断面図。
【図７】実施の形態２に係る照明器具の灯体部の断面図。
【図８】実施の形態３に係る照明器具の灯体部の斜視図。
【発明を実施するための形態】
【００１０】
以下、本発明の実施の形態について、図を用いて説明する。なお、各実施の形態の説明において、「上」、「下」、「左」、「右」、「前」、「後」といった方向は、説明の便宜上、そのように記しているだけであって、装置、器具、部品等の配置や向き等を限定するものではない。
【００１１】
実施の形態１．
図１は、本実施の形態に係る照明器具１の使用状態を示す斜視図である。
【００１２】
照明器具１は、例えば、天井に設置されたライティングダクトレール２に取り付けられて使用される。照明器具１は、ＬＥＤを光源として有する灯体部３と、電源回路が収納される電源ボックス部４で構成される。なお、照明器具１は、床や壁等、天井以外に設置されるものであってもよい。
【００１３】
図２は、灯体部３の分解斜視図である。
【００１４】
灯体部３は、ベース５（本体）と、このベース５に取り付けられる調整リング６（筒状の枠部材）と、複数の灯具ユニット７と、これらの灯具ユニット７に接触する板バネ１１（バネ部材）と、中央灯具ユニット２３（他の灯具ユニット）と、灯具ユニット７及び中央灯具ユニット２３をベース５に回動可能に取り付ける軸１２（ピン）で構成される。
【００１５】
灯具ユニット７は、外郭部を構成するホルダ８、その内部に収納され、ＬＥＤが実装されたＬＥＤモジュール９、ＬＥＤからの光を狭角配光に制御する特性をもつレンズ１０でそれぞれ構成される。ベース５の中心部に配置される中央灯具ユニット２３も、灯具ユニット７と同様の構成になっている。
【００１６】
灯具ユニット７は、ベース５上に円形に配置された軸受け部１３と、軸１２により締結されるため、軸１２を中心に照射角度を調整することが可能な構造になっている。ベース５の中央部には放射形状の板バネ１１が円周上に配置された灯具ユニット７に内接するように配置される。灯具ユニット７の周囲を覆うように調整リング６がベース５に装着される。なお、ベース５の中央部に配置される中央灯具ユニット２３は照射角度を調整可能な構造になっている必要はない。
【００１７】
上記のように、本実施の形態において、灯具ユニット７や中央灯具ユニット２３には、それぞれ光源としてＬＥＤが搭載されている。このため、小型の照明器具１を製造しやすい。なお、灯具ユニット７や中央灯具ユニット２３に、白熱灯、放電灯、有機ＥＬ等、ＬＥＤ以外の光源が搭載されてもよい。
【００１８】
ベース５は、複数の灯具ユニット７が設置角度を調整自在に立設された端面３１を有しており、この端面３１には、端面３１に対して平行に延びる軸１２を支持する複数の軸受け部１３が設けられている。それぞれの灯具ユニット７は、対応する軸受け部１３により支持された軸１２を中心に回転することにより設置角度が調整される。
【００１９】
調整リング６は、ベース５の外周部分に取付位置が調整自在に取り付けられている。
【００２０】
本実施の形態では、６つの灯具ユニット７がベース５の端面３１に円環状に立設されているが、灯具ユニット７の数は６つに限らず、５つ以下又は７つ以上でもよい。また、本実施の形態では、１つの中央灯具ユニット２３が灯具ユニット７に囲まれるようにベース５の端面３１の中心部分に立設されているが、中央灯具ユニット２３の数は１つに限らず、２つ以上でもよい。
【００２１】
また、本実施の形態では、ベース５の少なくとも調整リング６が取り付けられる部分が円柱状になっているが、他の形状になっていてもよい。調整リング６はベース５の周囲で回転することにより取付位置が調整されるようになっているが、ベース５の上記部分が円柱状でなければ単に前後方向にスライド等することにより取付位置が調整されるようにする。例えば、ベース５の上記部分が多角柱状（三角柱状、四角柱状等）であれば、調整リング６に代えて多角筒状（三角筒状、四角筒状等）の枠部材を用いる。この場合、灯具ユニット７の配置も、ベース５や枠部材の形状に合わせたものとすることが望ましい。即ち、端面３１が多角形状（三角形状、四角形状等）であれば、灯具ユニット７を端面３１の少なくとも１つの辺に沿って直線状に、あるいは、端面３１の全ての辺に沿って多角形状に配置することが望ましい。これにより、枠部材の操作による灯具ユニット７の設置角度の調整（配光調整）が行いやすくなる。
【００２２】
図３は、灯体部３の部分断面斜視図である。図４は、灯体部３の断面図である。図５は、照明器具１に使用される板バネ１１の平面図及び側面図である。
【００２３】
ベース５の外周部には雄ネジ１４が形成されており、調整リング６にはそれに対応する雌ネジ１５が形成されており、両者はネジにより組み合わされる構造となっている。
【００２４】
円周上に配置された灯具ユニット７は、円の接線方向に配置された軸１２により、円の法線方向に傾斜可能である。
【００２５】
板バネ１１は放射形状であり、円状に配置された灯具ユニット７に内接し、灯具ユニット７を外側に押し出す方向に力を働かせる。なお、本実施の形態では、全ての灯具ユニット７に対して１つの一体成形された板バネ１１を用いているが、灯具ユニット７ごとに個別の板バネ１１を用いてもよい。
【００２６】
板バネ１１の力により円上の灯具ユニット７は軸１２を中心に外側に傾斜しようとする。
【００２７】
灯具ユニット７の傾斜角度を制限するのが、調整リング６に配置されている半円状の突起１６（当接部）である。灯具ユニット７の円錐部１７と突起１６が接するところで傾斜角が決まる。
【００２８】
図４では、灯具ユニット７が略平行状態に保たれている。この場合、器具全体から照射される光の配光特性は灯具ユニット７がもつビーム角と略同等の狭角の配光特性となる。
【００２９】
図６は、灯体部３の広角状態の断面図である。
【００３０】
図６では、調整リング６を回し、ネジを締めこんだことにより、図４の状態より灯体部３が広角状態になっている。調整リング６を回すことにより、ネジピッチに対応した分、調整リング６が移動することになる。調整リング６が移動すると、調整リング６の突起１６と灯具ユニット７の円錐部１７の接する位置が変化する。灯具ユニット７には、板バネ１１より常に外側に傾斜させようとする力が働いているため、灯具ユニット７は、調整リング６の移動量に対応した分傾斜して固定される。この動作により外側の円周上に配置された灯具ユニット７は全て同じ角度だけ、傾斜することになる。
【００３１】
灯具ユニット７が傾斜することにより、その角度分だけ、外側に配置された灯具ユニット７は各々、中心より外側を照射することとなる。灯具ユニット７の個々のビーム角に変化はないが、照明器具１全体では外側を照らす成分が多くなるため、配光特性が変化する。その変化量は、調整リング６が回転される角度により、容易に調整することが可能である。
【００３２】
上記のように、本実施の形態において、板バネ１１は、それぞれの灯具ユニット７をベース５の端面３１の外側方向に傾斜させる力をそれぞれの灯具ユニット７に与えている。調整リング６は、突起１６が設けられた内周面３２を有しており、この突起１６は、それぞれの灯具ユニット７に当接して板バネ１１により与えられる力と逆方向の力をそれぞれの灯具ユニット７に与える。調整リング６は、その取付位置が調整されることにより突起１６がそれぞれの灯具ユニット７に当接する位置が変化してそれぞれの灯具ユニット７の設置角度を調整する。したがって、調整リング６の回転操作により灯具ユニット７の設置角度の調整（配光調整）を簡単に行うことができる。
【００３３】
本実施の形態では、それぞれの灯具ユニット７が、ベース５の端面３１に対して所定の角度で側面が傾斜する円錐部１７を有しており、この円錐部１７の側面に調整リング６の断面略半円状の突起１６が当接する位置によって灯具ユニット７の設置角度を調整しているが、灯具ユニット７側に突起を設ける等、他の構成により灯具ユニット７の設置角度の調整を実現してもよい。また、本実施の形態では、調整リング６の突起１６が内周面３２上を１周するように延設されているが、突起１６が他の形状を有していてもよい。
【００３４】
また、本実施の形態では、板バネ１１がそれぞれの灯具ユニット７をベース５の端面３１の内側から外側に向かって押圧することにより、それぞれの灯具ユニット７にベース５の端面３１の外側方向への力を作用させているが、他の種類のバネ部材を用いて同様の力を作用させてもよい。例えば、灯具ユニット７ごとに、対応する軸受け部１３により支持される軸１２として、灯具ユニット７をベース５の端面３１の外側方向に回転（傾斜）させる力を与えるバネ部材を用いることができる。この場合、板バネ１１の設置スペースが不要となるため、照明器具１をさらに小型化できる。
【００３５】
以上説明したように、本実施の形態に係る照明器具１は、ＬＥＤ等を光源とし、外周に傾斜部を有する灯具ユニット７を円周上に備える。照明器具１は、灯具ユニット７を放射方向（径方向）に傾斜させる機構を有する。照明器具１は、灯具ユニット７が配置された円の内側に放射状の板バネ１１を備える。また、照明器具１は、灯具ユニット７が配置された円の外側には半円状の突起１６を有し、突起１６の位置を変化させることにより、灯具ユニット７の配置角度を制御し、配光を変化させる。これにより、ライティングダクトレール等に取り付けられて使用される小型のスポットライト等の照明器具１においても、低コストで、配光特性を容易に変化させることが可能となる。
【００３６】
実施の形態２．
本実施の形態について、主に実施の形態１との差異を説明する。
【００３７】
本実施の形態では、照明器具１の灯体部３が、実施の形態１の調整リング６と異なる構成の調整リング６ａを備える。
【００３８】
図７は、灯体部３の断面図である。
【００３９】
調整リング６ａは、開放部に透過性材料でできたカバー２０（透光性カバー）が固定されている。
【００４０】
カバー２０は、中心部に凸レンズ部２１を有する。この凸レンズ部２１は、ベース５の中心に配置された中央灯具ユニット２３の配光制御を行う。
【００４１】
凸レンズ部２１は、円状に配置された灯具ユニット７が略平行状態になる狭角状態のときの調整リング６ａの位置で中央灯具ユニット２３のＬＥＤ発光部２２と凸レンズ部２１の距離が凸レンズ部２１の焦点距離と合う特性をもつ。調整リング６ａを下方に移動させることにより、凸レンズ部２１の焦点距離と中央灯具ユニット２３のＬＥＤ発光部２２との間の距離がずれるため、凸レンズ部２１を通って照射されるビームは徐々に広いビーム角となる。円状に配置された灯具ユニット７の傾斜に連動してビーム角が変化することになり、照射面の光ムラや光（配光）の割れを抑制することが可能となる。
【００４２】
実施の形態１では、照明器具１の配光角が徐々に広くなるように調整リング６ａを操作していくと、角度が固定された中央灯具ユニット２３の照射領域と、外側方向に傾斜していく灯具ユニット７の照射領域との重複範囲が徐々に狭くなっていく。そのため、照明器具１の照射光にムラ等が若干生じるおそれがある。これに対し、上記のように、本実施の形態では、中心部分に凸レンズが形成されたカバー２０が、調整リング６ａの先端部に取り付けられている。このため、照明器具１の照射光に生じるムラ等を抑制することができる。
【００４３】
実施の形態３．
本実施の形態について、主に実施の形態１との差異を説明する。
【００４４】
本実施の形態では、照明器具１の灯体部３が、実施の形態１のベース５と異なる構成のベース５ｂ、実施の形態１の調整リング６と異なる構成の調整リング６ｂを備える。
【００４５】
図８は、灯体部３の斜視図である。
【００４６】
ベース５ｂは、外周に固定側目盛り１９を有する。調整リング６ｂは、外周に複数の可動側目盛り１８を有する。
【００４７】
可動側目盛り１８を目安として使用することにより、複数の照明器具１においても、容易に同じ配光特性（配光角）に調整することが可能となる。
【００４８】
上記のように、本実施の形態では、ベース５と調整リング６ｂとに、調整リング６ｂの取付位置と複数の灯具ユニット７の配光（設置角度）との関係を示す目盛りが設けられている。このため、配光調整が行いやすくなる。
【００４９】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００５０】
１  照明器具、２  ライティングダクトレール、３  灯体部、４  電源ボックス部、５，５ｂ  ベース、６，６ａ，６ｂ  調整リング、７  灯具ユニット、８  ホルダ、９  ＬＥＤモジュール、１０  レンズ、１１  板バネ、１２  軸、１３  軸受け部、１４  雄ネジ、１５  雌ネジ、１６  突起、１７  円錐部、１８  可動側目盛り、１９  固定側目盛り、２０  カバー、２１  凸レンズ部、２２  ＬＥＤ発光部、２３  中央灯具ユニット、３１  端面、３２  内周面。
【図１】
2012221771.tif 000003
【図２】
2012221771.tif 000004
【図３】
2012221771.tif 000005
【図４】
2012221771.tif 000006
【図５】
2012221771.tif 000007
【図６】
2012221771.tif 000008
【図７】
2012221771.tif 000009
【図８】
2012221771.tif 000010